(57)【要約】【課題】入浴介護者にとって作業性が良好であり、入浴者にとって入浴の快適さを体感し得るドーム式シャワー入浴装置を提供する。【解決手段】入浴者身体の少なくとも一部を内部に収容するドーム本体１と、ドーム本体１内に設けられたシャワー設備とを有し、シャワー設備によってドーム本体１内に収容された担架２１上の入浴者Ｋの身体に対して湯水を噴射するようにしたドーム式シャワー入浴装置の、入浴者Ｋの身体を側方から覆う側壁部２に、入浴介護者Ｎの上半身を出入り可能にした介護用開口部７を形成し、ドーム本体１の天井頂上部３５と担架２１の入浴者載置面３６とを６０〜９０ｃｍの距離範囲で離間すると共に、介護用開口部７を４０〜５５ｃｍの範囲の上下方向幅で開口し、さらに、天井頂上部３５と介護用開口部７の上端縁７ａとの間隔を１０ｃｍ以上に保つ。【選択図】図３
2004041542.tif 000002
【特許請求の範囲】
【請求項１】
入浴者身体の少なくとも一部を内部に収容するドーム本体と、該ドーム本体内に設けられたシャワー設備とを有し、該シャワー設備によってドーム本体内に収容された担架上の入浴者の身体に対して湯水を噴射するようにしたドーム式シャワー入浴装置であって、前記ドーム本体のうち入浴者の身体を側方から覆う側壁部に、入浴介護者の上半身を出入り可能にした介護用開口部を形成したものにおいて、前記ドーム本体の天井頂上部と前記担架の入浴者載置面とは、６０〜９０ｃｍの距離範囲で離間し、前記介護用開口部は、４０〜５５ｃｍの範囲の上下方向幅で開口すると共に、前記ドーム本体の天井頂上部と前記介護用開口部の上端縁とは、１０ｃｍ以上の間隔を保つことを特徴とするドーム式シャワー入浴装置。
【請求項２】
前記介護用開口部の下端縁と、前記担架の入浴者載置面とは、±１０ｃｍ以内の距離範囲で離間することを特徴とする請求項１に記載のドーム式シャワー入浴装置。
【発明の詳細な説明】
【０００１】
【発明の属する技術分野】
本発明はシャワー入浴装置に関する。シャワー入浴装置は、特に、高齢者や病人、身体障害者等の歩行困難な要介護者を入浴させるのに有用である。
【０００２】
【従来の技術】
入浴者身体の少なくとも一部を内部に収容するドーム本体と、ドーム本体内に設けられたシャワー設備とを有し、シャワー設備によってドーム本体内に収容された担架上の入浴者の身体に対して湯水を噴射するようにしたドーム式シャワー入浴装置では、従来、ドーム本体のうち入浴者の身体を側方から覆う側壁部に、入浴介護者の上半身を出入り可能にした介護用開口部を形成したものが考えられる。このものでは、入浴介護者が、介護用開口部を通してその頭部から上半身をドーム本体内に入れて、入浴者に充分接近した状態で入浴者に対して容易に充分な手洗いを行うことができる。
【０００３】
【発明が解決しようとする課題】
ところで、入浴者として上記した要介護者を対象とした介護用設備として用いる場合、実際には病院や介護施設がこの種の入浴装置の使用場所になることが多く、その際には不特定多数の入浴者に備える必要がある。即ち、頻繁な使用機会に応じて、上記従来のドーム式シャワー入浴装置においても高水準の稼動状況に対応可能であることが要望される。
【０００４】
上記したように入浴作業は、入浴介護者による入浴者に対する手洗い作業が主なものであるため、入浴装置の稼働率を高水準に維持するには、入浴介護者にとって良好な作業性を確保することが重要である。このため、充分に入浴介護者の作業空間を確保することが考えられる。
【０００５】
しかしながら、作業空間の確保のためドーム本体内空間を大きくしたり、介護用開口部を大面積形状としたりすると、シャワー設備から噴射される湯水を熱源としていたドーム本体内を充分な暖気状態にすることが困難になる。そして、このような状況は、入浴者にとっては入浴の快適さが低下することとなり、介護用設備として好ましくない。
【０００６】
本発明は、上記問題点に鑑み、入浴介護者にとって作業性が良好であり、入浴者にとって入浴の快適さを体感し得るドーム式シャワー入浴装置を提供することを課題としている。
【０００７】
【課題を解決するための手段】
上記課題を解決するため、本発明は、入浴者身体の少なくとも一部を内部に収容するドーム本体と、ドーム本体内に設けられたシャワー設備とを有し、このシャワー設備によってドーム本体内に収容された担架上の入浴者の身体に対して湯水を噴射するようにしたドーム式シャワー入浴装置を構成部分のうち、入浴者身体を側方から覆う側壁部に入浴介護者の上半身を出入り可能にした介護用開口部を形成し、ドーム本体の天井頂上部と担架の入浴者載置面とを６０〜９０ｃｍの距離範囲で離間すると共に、介護用開口部の上下方向幅を４０〜５５ｃｍの範囲とし、さらに、ドーム本体の天井頂上部と介護用開口部の上端縁との間隔を１０ｃｍ以上に保つようにした。
【０００８】
これにより、入浴介護者にとっては、上下方向で４０〜５５ｃｍとした必要十分な開口幅を有する介護用開口部からその上半身をドーム本体内に容易に入れることができ、また、ドーム本体内においても入浴者を載架した担架からドーム頂上部までの距離を６０〜９０ｃｍとして、上半身を入れた後の上下方向の奥行きが充分に確保された空間内で入浴作業を行うことができる。即ち、このものでは、入浴介護者にとって良好な作業性を確保することができる。そして、入浴者にとっては、横たわった担架上の自身の身体と、その身体が収容されたドーム本体との離間距離を９０ｃｍ以内としたコンパクトな空間内に収容されることとなる。そして、ドーム本体の天井頂上部と介護用開口部の上端縁との間隔が１０ｃｍ以上保たれているため、シャワー設備から噴射される湯水により暖気を充満させることができ、これにより、入浴者は快適な入浴空間内に自身の身体をさらすことができる。
【０００９】
この場合、介護用開口部の下端縁と、担架の入浴者載置面とは、±１０ｃｍ以内の距離範囲、即ち、上下１０ｃｍの範囲の高低差に留めることが望ましい。
【００１０】
上記したように、入浴介護者が入浴者に対して入浴作業を行う際は手作業が主であるため、比較的強力な労力を要する作業の場合、入浴者の相対位置を下方にして入浴介護者自身の体重を利用できるような姿勢が可能であると作業がし易くなる。このような姿勢となるには、開口部の下端縁と担架の入浴者載置面との距離が±１０ｃｍ以内であると、入浴者と比較的近接した状態を保ちながら、身体をできるだけ起立させて入浴介護者自身の体重を入浴者に対して有効に荷重させて入浴作業に活用することができる。
【００１１】
【発明の実施の形態】
図１及び図２は、本発明のシャワー入浴装置の正面図及び斜視図である。両図において、ドーム本体１は、前後方向（図１の紙面左右方向）に細長く伸びており、その壁部として、左右一対の側壁部２と、上壁部３と、底壁部（台座部）４と、前側壁部５とを備えて構成される。このうち、上壁部３は、左右の側壁部２の上端部同士を連結し、また、底壁部４は、左右の側壁部２の下端部同士を連結した台座部となっている。また、前側壁部５は、左右の側壁部２と上壁部３と底壁部４の各前端部に連結されている。このような各壁部２〜５によって、ドーム本体１は、その断面が筒状となるように形成されているが、その前端部が前側壁部５によって閉じた形状になっている。そして、前側壁部５とは反対側の端部、つまりドーム本体１の後端部に、入浴者Ｋが出入りされる入浴者出入口６が形成されている。このように、ドーム本体１は、その断面形状が筒状とされて、左右の側壁部２、上壁部３、底壁部４はそれぞれ前後方向に長く形成されている。
【００１２】
上壁部３は、左右方向の断面形状が、全体的に上方に向けて凸となるように略円弧状に湾曲形成されている。また、前側壁部５は、前方へ向けて凸となるように略半球状（紡錘形）に形成されている。このようにして、ドーム本体１は、全体的に、極力流線型とされたカプセルあるいは卵形をイメージさせるデザインとされている。そして、ドーム本体１は、ほぼ左右対称形状となるように形成されている。なお、このようなドーム本体１は、全体的に、合成樹脂を主体として形成されており、実施形態では繊維強化プラスチックによって形成されている。
【００１３】
また、左右の各側壁部２には、それぞれ、介護用開口部７が設けられている。この介護用開口部７は、入浴介護者Ｎがその上半身を入れることができるように十分な開口面積で設定され、ドーム本体１の前後方向に細長く伸びた略長方形状とされている。
【００１４】
ドーム本体１は、複数の支持脚１１〜１３を介して、設置床面１４上に設置されている。各支持脚１１〜１３は、それぞれドーム本体１の底壁部（台座部）４に固定されている。前方に配置される１つの前支持脚１１は、ドーム本体１の前側壁部側でかつ左右方向略中間に位置されている。後方に配置される２つの後支持脚１２、１３は、前後方向において同一位置で、左右方向に所定間隔を有して配置されている。このような支持脚１１〜１３の配置によって、ドーム本体１を後方から見たとき、左右２つの後支持脚１２と１３との間に前支持脚１１が位置するような配置関係となっている。
【００１５】
図１において、入浴者Ｋは、ストレッチャーと呼ばれる担架２１によって移送されて、この担架２１の一部と共にドーム本体１内に収納される。
【００１６】
次に、図１を参照して、ドーム式シャワー入浴装置によって入浴者Ｋを入浴させる手順について説明する。まず、入浴される入浴者Ｋは、担架２１の担架部２４上において、全体的に略水平方向に伸びた姿勢（通常は仰向け姿勢）でもって移送される。そして、カーテン３１（入浴者出入口６）を開いた状態で、台車部２３が左右２本の後支持脚１１、１２の間に位置するようにして担架２１を前進させて、入浴者Ｋをドーム本体１内に収納していく。このとき、台車部２３が、ドーム本体１の底壁部（台座部）４の下方で前進し、これに伴って担架部２４が入浴者Ｋと共にドーム本体１内に収納されていく。そして、ついに台車部２３が前支持脚１１に当接し、この状態で入浴者Ｋが完全にドーム本体１内に収納された状態となる。
【００１７】
入浴者Ｋがドーム本体１内に収納された状態で、カーテン３５が閉じられる。このとき、カーテン３５は、入浴者Ｋを、首部を境にして、ドーム本体１内外を仕切る（入浴者Ｋの顔面や頭部がドーム本体１の外部に位置され、肩から下の下方身体部分がドーム本体１内に収納される。
【００１８】
そして、図３に示すように、ドーム本体１内に装備されたシャワー装置としての各ノズル３２、３３から、入浴者Ｋに向けて湯水（通常は４０数度程度の温度に保持された湯水）が噴射される。所定時間の湯水噴射が行われた後、ノズル３２、３３からの湯水噴射が停止される。この湯水噴射の停止後は、入浴介護者Ｎによる手洗いが必要に応じて行われる。
【００１９】
入浴介護者Ｎによる手洗いの際には、左右の介護用開口部７の少なくとも一方のカーテン３４が開かれる。入浴介護者Ｎは、上下方向幅Ｂが４０〜５５ｃｍの範囲に開かれた介護用開口部７にその頭部から上半身を入れて、入浴者Ｋの手洗いを行うことになる。入浴介護者Ｎは、介護用開口部７からいちいち出入りすることなく、カーテン３４を前後方向にスライドさせつつ前後方向に移動するたけで、入浴者Ｋの上部（例えば肩部）から下部（例えば足先）まで容易に接近して手洗いすることができる。
【００２０】
入浴介護者Ｎは、ドーム本体１内に奥深く頭を挿入した状態とされることもあるが、ドーム本体１の天井頂上部３５と担架の入浴者載置面３６との間隔Ｃが、６０〜９０ｃｍの範囲にあると共に、天井頂上部３５と介護用開口部７の上端縁７ａとの間隔（Ｃ−Ｂ）が１０ｃｍ以上に保たれるように、上壁部３が上に凸形状に膨らんでいるので、頭を天井３５にぶつけてしまう事態が防止あるいは低減される。また、上部ノズル３２は、上端縁７ａの近くに位置されているが、入浴介護者Ｎは、介護用開口部７から出入りするときには上端縁７ａに頭をぶつけないように十分注意できるので、上部ノズル３２にぶつかりにくいものとなる。
一方、上記のような設計値範囲（間隔Ｃ：６０〜９０ｃｍ、上下方向幅Ｂ：４０〜５５ｃｍ、間隔Ｃ−Ｂ：１０ｃｍ以上）は、入浴者Ｋにとっても望ましいものである。即ち、ドーム本体１の天井頂上部３５と介護用開口部７の上端縁７ａとの間隔（Ｃ−Ｂ）が１０ｃｍ以上保たれているため、シャワー設備から噴射される湯水により、ドーム本体１内部に暖気を充満させることができ、これにより、入浴者が自身の身体をさらす空間が快適な入浴温度となる。
【００２１】
上記のような設計値（開口部７の上下方向幅Ｂ、天井頂上部３５と担架の入浴者載置面３６との間隔Ｃ）を種々変更した場合に、ともに複数の入浴者Ｋと入浴介護者Ｎとが１分間入浴作業を行ったときの双方の評価結果を下記［表１］に示す。
【００２２】
【表１】
2004041542.tif 000003
【００２３】
［表１］より上記設計値範囲が有意であることが分る。
【００２４】
また、入浴介護者Ｎが入浴者Ｋに対して入浴作業を行う際は手作業が主であるため、比較的強力な労力を要する作業の場合、入浴者Ｋの相対位置を下方にして入浴介護者Ｎ自身の体重を利用できるような姿勢が可能であることが望ましい。このような姿勢となるには、介護用開口部７の下端縁７ｂと担架２１の入浴者載置面３６との距離Ｘが±１０ｃｍ以内であると、入浴者Ｋと比較的近接した状態を保ちながら、身体をできるだけ起立させて入浴介護者Ｎ自身の体重を入浴者に対して有効に荷重させることができ、これを入浴作業に活用することができる。
【００２５】
入浴完了後は、カーテン３１（入浴者出入口６）を開いて、担架２１を後退させて、入浴者Ｋがドーム本体１から引き出される。
【００２６】
以上実施形態について説明したが、本発明はこれに限らず、例えば、入浴の際、入浴者Ｋはストレッチャー式の担架上に載置する以外にも、適宜のものとすることができる。例えば、車椅子にある入浴者Ｋを、そのフットレストを高い位置とし、かつ背もたれを後方へ大きくリクライニングさせることによって、首部から下方の下方身体部分を略水平方向に伸びる姿勢とすることができる。また、入浴者Ｋが車椅子に着座された通常の姿勢位置において、首部から上部分のみをドーム本体の外部へ突出させて、首部から下方部分を全体的にドーム本体内に収納するようなものであってもよい。この場合、入浴者Ｋは、車椅子に着座している通常の着座姿勢のまま入浴することが可能であるが、この場合、介護用開口部７が形成される側壁部としては、入浴者Ｋを左右側方から覆う左右の側壁部２に形成する場合に限らず、入浴者Ｋを正面から覆う前側壁部５に形成することもできる。
【００２７】
勿論、本発明の目的は、明記されたものに限らず、実質的に好ましいあるいは利点として表現されたものを提供することをも暗黙的に含むものである。
【００２８】
【発明の効果】
以上の説明から明らかなように、本発明のドーム式シャワー入浴装置は、ドーム本体天井頂上部と担架とを６０〜９０ｃｍの距離範囲で離間し、介護用開口部の上下方向幅を４０〜５５ｃｍの範囲とすると共に、ドーム本体の天井頂上部と介護用開口部の上端縁との間隔を１０ｃｍ以上に保つことにより、入浴介護者が要望する入浴作業時の良好な作業性と、入浴者が要望する快適な入浴空間とを同時に確保することができる。
【００２９】
また、介護用開口部の下端縁と、入浴者を載架する担架とを、の距離範囲で離間することにより、入浴作業者の体重を利用して比較的労力を要する作業にも対応することができる。
【００３０】
本発明のドーム式シャワー入浴装置は、上記した利点を有するため、高水準の使用頻度が想定される介護施設において使用する場合も、介護用設備として有用である。
【図面の簡単な説明】
【図１】本発明のシャワー入浴装置の概略立面図
【図２】本発明のシャワー入浴装置の概略斜視図
【図３】本発明のシャワー入浴装置の概略断面図
【符号の説明】
１　ドーム本体
２　側壁部
７　介護用開口部
７ａ　介護用開口部の上端縁
７ｂ　介護用開口部の下端縁
２１　担架
３２　３３　シャワーノズル
３５　天井頂上部
３６　入浴者載置面
Ｋ　入浴者
Ｎ　入浴介護者
【図１】
2004041542.tif 000004
【図２】
2004041542.tif 000005
【図３】
2004041542.tif 000006